(57)【要約】  モバイルフォン（ｍｏｂｉｌｅ  ｐｈｏｎｅ）またはタブレットＰＣのディスプレイパネルを保護する保護フィルムを容易に付着可能にする保護フィルム付着用器具と、それを備えた保護フィルム付着モジュールと、保護フィルム付着用器具を利用した保護フィルム付着方法と、が開示される。該開示された保護フィルム付着用器具は、ディスプレイパネルを備えた電子機器の外郭形状に合わせて安着され、内側に開放された窓が形成されたフレームと、フレームから水平方向に突設された少なくとも１つのスぺーサと、スぺーサとの間に保護フィルムの外周部が差し込まれて、保護フィルムを支持するものであって、スぺーサよりも高い位置にフレームから水平方向の内側に突出した少なくとも１つの保護フィルムホルダーと、を備え、フレームが、電子機器に安着された時、保護フィルムの外周部が、電子機器のディスプレイパネルからスぺーサの厚さほど離隔して構成される。
2014525167.tif 000002
【特許請求の範囲】
【請求項１】
ディスプレイパネルを備えた電子機器の外郭形状に合わせて安着され、内側に開放された窓が形成されたフレームと、
前記フレームから水平方向に突設された少なくとも１つのスぺーサと、
前記スぺーサとの間に保護フィルムの外周部が差し込まれて、前記保護フィルムを支持するものであって、前記スぺーサよりも高い位置に前記フレームから水平方向の内側に突出した少なくとも１つの保護フィルムホルダーと、を備え、
前記フレームが、前記電子機器に安着された時、前記保護フィルムの外周部が、前記電子機器のディスプレイパネルから前記スぺーサの厚さほど離隔して構成されたことを特徴とする保護フィルム付着用器具。
【請求項２】
前記スぺーサは、前記フレームの外郭から下側に垂直突出した垂直壁から水平方向に突出し、
前記垂直壁は、前記電子機器の上面の外郭に安着されるように配されたことを特徴とする請求項１に記載の保護フィルム付着用器具。
【請求項３】
前記スぺーサの厚さは、０．５ないし５ｍｍであることを特徴とする請求項１に記載の保護フィルム付着用器具。
【請求項４】
前記フレームが、前記電子機器の外郭形状に合わせて安着されるように、前記電子機器の外郭が差し込まれるように配された少なくとも１つの位置ガイド壁をさらに含むことを特徴とする請求項１に記載の保護フィルム付着用器具。
【請求項５】
前記スぺーサは、前記フレームの外郭から下側に垂直突出した垂直壁から水平方向に突出し、前記垂直壁は、前記電子機器の上面の外郭に安着されるように配され、
前記位置ガイド壁は、前記垂直壁の外郭から前記垂直壁よりも下側にさらに多く突出したことを特徴とする請求項４に記載の保護フィルム付着用器具。
【請求項６】
前記保護フィルムと共に前記保護フィルムホルダーとスぺーサとの間に差し込まれて、前記保護フィルムの位置ズレを防止する挿入シートをさらに備えたことを特徴とする請求項１に記載の保護フィルム付着用器具。
【請求項７】
請求項１ないし請求項５のうち何れか１つの構造を有する保護フィルム付着用器具と、
前記スぺーサと保護フィルムホルダーとの間に外周部が差し込まれる保護フィルムと、を備え、
前記フレームが、前記電子機器に安着された時、前記保護フィルムの外周部が、前記電子機器のディスプレイパネルから前記スぺーサの厚さほど離隔して構成されたことを特徴とする保護フィルム付着モジュール。
【請求項８】
前記保護フィルムの底面の粘着性を保存する底面カバー、及び前記保護フィルムの上面の汚染及び毀損を抑制する上面カバーをさらに備え、
前記底面カバー及び上面カバーが、前記保護フィルムに分離可能に積層付着されて、前記保護フィルムと共に前記スぺーサと保護フィルムホルダーとの間に差し込まれることを特徴とする請求項７に記載の保護フィルム付着モジュール。
【請求項９】
前記保護フィルムと共に前記保護フィルムホルダーとスぺーサとの間に差し込まれて、前記保護フィルムの位置ズレを防止する挿入シートをさらに備えたことを特徴とする請求項７に記載の保護フィルム付着モジュール。
【請求項１０】
請求項１ないし請求項５のうち何れか一項に記載の保護フィルム付着用器具を用いて保護フィルムを電子機器のディスプレイパネルに付着する方法であって、
保護フィルムの粘着性底面が、前記スぺーサに支持されるように、前記保護フィルムを前記保護フィルムホルダーとスぺーサとの間に差し込む保護フィルム搭載段階と、
前記スぺーサが、前記電子機器によって支持されるように、前記保護フィルム付着用器具を前記電子器具に安着させる保護フィルム付着用器具安着段階と、
前記保護フィルムの中央部を前記電子機器側に加圧して、前記ディスプレイパネルの中央部に付着させる保護フィルム１次付着段階と、
前記保護フィルム付着用器具を前記保護フィルムと分離し、前記電子機器から離隔させる保護フィルム付着用器具除去段階と、
前記保護フィルムを中央部から周辺部に加圧範囲を確張して、前記保護フィルムのあらゆる領域を前記ディスプレイパネルに付着する保護フィルム２次付着段階と、
を備えることを特徴とする保護フィルム付着方法。
【請求項１１】
前記保護フィルム搭載段階で、前記ディスプレイパネルに付着される前記保護フィルムの底面の粘着性を保存する底面カバー、及び前記保護フィルムの上面の汚染及び毀損を抑制する上面カバーが、前記保護フィルムに分離可能に積層付着されて、前記保護フィルムと共に前記保護フィルム付着用器具に搭載され、
前記保護フィルム付着方法は、前記保護フィルム付着用器具安着段階に先行して、前記底面カバーを前記保護フィルムの底面から分離する底面カバー除去段階、及び前記保護フィルム２次付着段階以後に、前記上面カバーを前記保護フィルムの上面から分離する上面カバー除去段階をさらに備えることを特徴とする請求項１０に記載の保護フィルム付着方法。
【請求項１２】
前記保護フィルム搭載段階は、前記保護フィルムの位置ズレを防止する挿入シートを前記保護フィルムに重ねて、前記保護フィルムホルダーとスぺーサとの間に差し込む段階を含み、
前記保護フィルム付着方法は、前記保護フィルム付着用器具除去段階以後に、前記挿入シートを前記保護フィルムから分離する挿入シート分離段階をさらに備えることを特徴とする請求項１０に記載の保護フィルム付着方法。
【請求項１３】
ディスプレイパネルを備えた電子機器の外周エッジに支持されるように折り曲げられた支持片と、前記ディスプレイパネルを露出させる開放窓を備えたフレームと、
前記開放窓を覆うように、前記フレームに分離可能に付着された保護フィルムと、を備え、
前記支持片が、電子機器の外周エッジに支持された時、前記保護フィルムの外周辺が、前記電子機器のディスプレイパネルに貼り付かずに離隔して構成されたことを特徴とする保護フィルム付着モジュール。
【請求項１４】
前記フレームは、前記支持片が前記電子機器の外周エッジに支持された時、前記保護フィルムの外周辺を支持して、前記電子機器のディスプレイパネルから離隔させるスぺーサをさらに備えることを特徴とする請求項１３に記載の保護フィルム付着モジュール。
【請求項１５】
前記保護フィルムは、粘着テープによって前記フレームに付着されたことを特徴とする請求項１３に記載の保護フィルム付着モジュール。
【請求項１６】
前記ディスプレイパネルに当接する前記保護フィルムの底面の粘着性を保存する底面カバー、及び前記保護フィルムの上面の汚染及び毀損を抑制する上面カバーが、前記保護フィルムに分離可能に積層付着されたことを特徴とする請求項１３に記載の保護フィルム付着モジュール。
【請求項１７】
折り曲げられた支持片と、電子機器に備えられたディスプレイパネルに対応するサイズの開放窓を有したフレームと、を含む保護フィルム付着用器具、及び前記開放窓を覆うように、前記保護フィルム付着用器具に付着された保護フィルムを備えた保護フィルム付着モジュールを準備する保護フィルム付着モジュール準備段階と、
前記支持片を前記電子機器の外周エッジに搭載支持して、前記保護フィルムを、前記ディスプレイパネルに対向して離隔して位置させるフレーム搭載段階と、
前記保護フィルムの中央部を前記ディスプレイパネル側に加圧して付着させる保護フィルム中央部付着段階と、
前記フレームを前記保護フィルムと分離し、前記電子機器から離隔させるフレーム除去段階と、
前記保護フィルムを中央部から周辺部に加圧範囲を確張して、保護フィルム全領域を前記ディスプレイパネルに付着する保護フィルム全領域付着段階と、
を備えることを特徴とする保護フィルム付着用器具を利用した保護フィルム付着方法。
【請求項１８】
前記保護フィルム付着モジュール準備段階で、前記ディスプレイパネルに当接する前記保護フィルムの底面の粘着性を保存する底面カバー、及び前記保護フィルムの上面の汚染及び毀損を抑制する上面カバーが、前記保護フィルムに分離可能に積層付着されて、前記保護フィルムと共に前記フレームに付着され、
前記ディスプレイパネルに保護フィルムを付着する方法は、前記フレーム搭載段階に先行して、前記底面カバーを前記保護フィルムの底面から分離する段階、及び前記保護フィルム全領域付着段階以後に、前記上面カバーを前記保護フィルムの上面から分離する段階をさらに備えることを特徴とする請求項１７に記載の保護フィルム付着用器具を利用した保護フィルム付着方法。
【請求項１９】
携帯機器のディスプレイ部に保護フィルムを付着させるためのものであって、
前記携帯機器のディスプレイの外郭に沿って安着され、前記ディスプレイ部が外部に露出されるように中空部を有するフレームと、
前記フレームの中空部の内側面から突設されたものであって、前記フレームが、前記携帯機器に安着時に前記ディスプレイ部から上側に１ないし４ｍｍ離隔する保護フィルム安着具と、を含む保護フィルム付着用器具。
【発明の詳細な説明】
【技術分野】
【０００１】
本発明は、スマートフォン（ｓｍａｒｔ  ｐｈｏｎｅ）またはタブレットＰＣ（ｔａｂｌｅｔ  ＰＣ）のディスプレイパネルを保護する保護フィルムを容易に付着可能にする保護フィルム付着用器具と、それを備えた保護フィルム付着モジュールと、保護フィルム付着用器具を利用した保護フィルム付着方法と、に関する。
【背景技術】
【０００２】
モバイルフォンのような機器に備えられたディスプレイパネルの破損またはスクラッチ（ｓｃｒａｔｃｈ）を抑制するために保護フィルムが使われている。特に、最近、スマートフォンやタブレットＰＣの流行でタッチスクリーン（ｔｏｕｃｈ  ｓｃｒｅｅｎ）を利用したＵＩ（Ｕｓｅｒ  Ｉｎｔｅｒｆａｃｅ）が普遍化されることによって、ディスプレイパネルの破損またはスクラッチの危険はさらに大きくなっており、これにより、保護フィルムの使用も広がっている。
【０００３】
ところが、スマートフォンなどのディスプレイパネルに保護フィルムを正しい位置に気泡なしにきれいに付着することは、熟練された技術者ではなければ、非常に難しい。正しく貼り付けられていない保護フィルムは、ディスプレイパネルの可視性に悪影響を及ぼし、タッチスクリーンを利用したＵＩを妨害することもある。保護フィルムを定位置に貼り付けることができず、取り外して再び貼り付ける場合、保護フィルムの汚染で可視性及び付着力が劣化されることもある。一方、保護フィルム付着の難点のために、保護フィルム未付着の場合、ディスプレイパネルと、それを備えたスマートフォンまたはタブレットＰＣのような電子機器自体の寿命が短縮されうる。
【発明の概要】
【発明が解決しようとする課題】
【０００４】
本発明は、熟練された技術者ではないとしても、ディスプレイパネルに保護フィルムを容易に貼り付ける保護フィルム付着用器具、及びそれを備えた保護フィルム付着モジュールを提供する。
【０００５】
また、本発明は、保護フィルム付着用器具を用いてディスプレイパネルに保護フィルムを付着する方法を提供する。
【課題を解決するための手段】
【０００６】
本発明は、ディスプレイパネルを備えた電子機器の外郭形状に合わせて安着され、内側に開放された窓が形成されたフレームと、前記フレームから水平方向に突設された少なくとも１つのスぺーサと、前記スぺーサとの間に保護フィルムの外周部が差し込まれて、前記保護フィルムを支持するものであって、前記スぺーサよりも高い位置に前記フレームから水平方向の内側に突出した少なくとも１つの保護フィルムホルダーと、を備え、前記フレームが、前記電子機器に安着された時、前記保護フィルムの外周部が、前記電子機器のディスプレイパネルから前記スぺーサの厚さほど離隔して構成されたことを特徴とする保護フィルム付着用器具を提供する。
【０００７】
この場合、前記スぺーサは、前記フレームの外郭から下側に垂直突出した垂直壁から水平方向に突出し、前記垂直壁は、前記電子機器の上面の外郭に安着されるように配置される。
【０００８】
前記スぺーサの厚さは、０．５ないし５ｍｍであり得る。
【０００９】
前記フレームが、前記電子機器の外郭形状に合わせて安着されるように、前記電子機器の外郭が差し込まれるように配された少なくとも１つの位置ガイド壁をさらに含みうる。この場合、前記スぺーサは、前記フレームの外郭から下側に垂直突出した垂直壁から水平方向に突出し、前記垂直壁は、前記電子機器の上面の外郭に安着されるように配され、前記位置ガイド壁は、前記垂直壁の外郭から前記垂直壁よりも下側にさらに多く突出する。
【００１０】
一方、前記保護フィルムと共に前記保護フィルムホルダーとスぺーサとの間に差し込まれて、前記保護フィルムの位置ズレを防止する挿入シートをさらに備えることができる。
【００１１】
一方、本発明の他の側面で、保護フィルム付着モジュールは、前記構造を有する保護フィルム付着用器具、及び前記スぺーサと保護フィルムホルダーとの間に外周部が差し込まれる保護フィルムを備え、前記フレームが、前記電子機器に安着された時、前記保護フィルムの外周部が、前記電子機器のディスプレイパネルから前記スぺーサの厚さほど離隔して構成される。
【００１２】
前記保護フィルムの底面の粘着性を保存する底面カバー、及び前記保護フィルムの上面の汚染及び毀損を抑制する上面カバーをさらに備え、前記底面カバー及び上面カバーが、前記保護フィルムに分離可能に積層付着されて、前記保護フィルムと共に前記スぺーサと保護フィルムホルダーとの間に差し込まれる。
【００１３】
この場合、前記保護フィルムと共に前記保護フィルムホルダーと第１スぺーサとの間に差し込まれて、前記保護フィルムの位置ズレを防止する挿入シートをさらに備えることができる。
【００１４】
本発明のさらに他の側面での保護フィルム付着方法は、前記保護フィルム付着用器具を用いて保護フィルムを電子機器のディスプレイパネルに付着する方法であって、保護フィルムの粘着性底面が、前記スぺーサに支持されるように、前記保護フィルムを前記保護フィルムホルダーとスぺーサとの間に差し込む保護フィルム搭載段階と、前記スぺーサが、前記電子機器によって支持されるように、前記保護フィルム付着用器具を前記電子器具に安着させる保護フィルム付着用器具安着段階と、前記保護フィルムの中央部を前記電子機器側に加圧して、前記ディスプレイパネルの中央部に付着させる保護フィルム１次付着段階と、前記保護フィルム付着用器具を前記保護フィルムと分離し、前記電子機器から離隔させる保護フィルム付着用器具除去段階と、前記保護フィルムを中央部から周辺部に加圧範囲を確張して、前記保護フィルムのあらゆる領域を前記ディスプレイパネルに付着する保護フィルム２次付着段階と、を備える。
【００１５】
この場合、前記保護フィルム搭載段階で、前記ディスプレイパネルに付着される前記保護フィルムの底面の粘着性を保存する底面カバー、及び前記保護フィルムの上面の汚染及び毀損を抑制する上面カバーが、前記保護フィルムに分離可能に積層付着されて、前記保護フィルムと共に前記保護フィルム付着用器具に搭載され、前記保護フィルム付着方法は、前記保護フィルム付着用器具安着段階に先行して、前記底面カバーを前記保護フィルムの底面から分離する底面カバー除去段階、及び前記保護フィルム２次付着段階以後に、前記上面カバーを前記保護フィルムの上面から分離する上面カバー除去段階をさらに備えることができる。
【００１６】
また、前記保護フィルム搭載段階は、前記保護フィルムの位置ズレを防止する挿入シートを前記保護フィルムに重ねて、前記保護フィルムホルダーとスぺーサとの間に差し込む段階を含み、前記保護フィルム付着方法は、前記保護フィルム付着用器具除去段階以後に、前記挿入シートを前記保護フィルムから分離する挿入シート分離段階をさらに備えることができる。
【００１７】
一方、本発明のさらに他の側面での保護フィルム付着用器具は、携帯機器のディスプレイ部に保護フィルムを付着させるためのものであって、前記携帯機器のディスプレイの外郭に沿って安着され、前記ディスプレイ部が外部に露出されるように中空部を有するフレームと、前記フレームの中空部の内側面から突設されたものであって、前記フレームが、前記携帯機器に安着時に前記ディスプレイ部から上側に１ないし４ｍｍ離隔する保護フィルム安着部と、を含む。
【００１８】
一方、本発明のさらに他の側面での保護フィルム付着モジュールは、フレームと、保護フィルムと、を含む。フレームは、ディスプレイパネルを備えた電子機器の外周エッジに支持されるように折り曲げられた支持片と、前記ディスプレイパネルを露出させる開放窓と、を備える。保護フィルムは、前記開放窓を覆うように、前記フレームに分離可能に付着される。この場合、前記支持片が、電子機器の外周エッジに支持された時、前記保護フィルムの外周辺が、前記電子機器のディスプレイパネルに貼り付かずに離隔して構成されたことを特徴とする。
【００１９】
一方、本発明のさらに他の側面での保護フィルム付着用器具を利用した保護フィルム付着方法は、折り曲げられた支持片と、電子機器に備えられたディスプレイパネルに対応するサイズの開放窓を有したフレームと、を含む保護フィルム付着用器具、及び前記開放窓を覆うように、前記保護フィルム付着用器具に付着された保護フィルムを備えた保護フィルム付着モジュールを準備する保護フィルム付着モジュール準備段階を含む。前記支持片を前記電子機器の外周エッジに搭載支持して、前記保護フィルムを、前記ディスプレイパネルに対向して離隔して位置させるフレーム搭載段階を含む。前記保護フィルムの中央部を前記ディスプレイパネル側に加圧して付着させる保護フィルム中央部付着段階を含む。前記フレームを前記保護フィルムと分離し、前記電子機器から離隔させるフレーム除去段階を含む。前記保護フィルムを中央部から周辺部に加圧範囲を確張して、保護フィルム全領域を前記ディスプレイパネルに付着する保護フィルム全領域付着段階を含む。
【発明の効果】
【００２０】
本発明の保護フィルム付着用器具、保護フィルム付着モジュール、及び保護フィルム付着方法によれば、熟練された技術者ではない一般人も、容易に保護フィルムをディスプレイパネル上の正確な位置に気泡なしに付着することができる。したがって、余分の保護フィルムの購買のためのコストと保護フィルムの付着に必要な時間とが節約される。
【図面の簡単な説明】
【００２１】
【図１】本発明の第１実施形態による保護フィルム付着用器具と、それを備えたモジュールと、スマートフォンと、を示す分解斜視図である。
【図２】図１に示された保護フィルム付着用器具の背面を示す斜視図である。
【図３】図１の保護フィルム付着用器具を利用した保護フィルム付着方法を説明する図面であって、図１のＡ−Ａによる断面図、及び図１のＢ−Ｂによる断面図である。
【図４】図１の保護フィルム付着用器具を利用した保護フィルム付着方法を説明する図面であって、図１のＡ−Ａによる断面図、及び図１のＢ−Ｂによる断面図である。
【図５】スマートフォンに付着された保護フィルムから上面カバーを取り外す形状を示す斜視図である。
【図６】本発明の第２実施形態による保護フィルム付着用器具の上面と背面とを示す斜視図である。
【図７】本発明の第２実施形態による保護フィルム付着用器具の上面と背面とを示す斜視図である。
【図８】図１の保護フィルム付着用器具を利用した保護フィルム付着方法を説明する図面であって、図６のＣ−Ｃによる断面図である。
【図９】本発明の第３実施形態による保護フィルム付着用器具と、それを備えたモジュールと、スマートフォンと、を示す分解斜視図である。
【図１０】図９に示されたフレームの背面を示す斜視図である。
【図１１】スマートフォンとこれに載せられた保護フィルム付着モジュールを示す断面図である。
【図１２】スマートフォンに付着された保護フィルムから上面カバーを取り外す形状を示す斜視図である。
【発明を実施するための形態】
【００２２】
以下、添付図面を参照して、本発明の実施形態による保護フィルム付着用器具、それを備えた保護フィルム付着モジュール、及び保護フィルム付着用器具を利用した保護フィルム付着方法を詳細に説明する。本明細書で使われる用語（ｔｅｒｍｉｎｏｌｏｇｙ）は、本発明の望ましい実施形態を適切に表現するために使われた用語であって、これは、ユーザまたは運用者の意図または本発明が属する分野の慣例などによって変わりうる。したがって、本用語に対する定義は、本明細書の全般に亘った内容に基づいて下されなければならない。
【００２３】
図１は、本発明の第１実施形態による保護フィルム付着用器具と、それを備えたモジュールと、スマートフォンと、を示す分解斜視図であり、図２は、図１に示された保護フィルム付着用器具の背面を示す斜視図である。図１及び図２を参照すれば、本発明の第１実施形態による保護フィルム付着用器具２０は、合成樹脂の射出成形によって一体に形成された射出成形物であって、保護フィルム１を搭載し、ディスプレイパネル１２を備えたスマートフォン１０に安着支持される。示した保護フィルム付着用器具２０は、スマートフォン１０のディスプレイパネル１２がある前面に付着されるものであるが、本発明が、スマートフォン１０の用途に限定されるものではなく、タブレットＰＣなどディスプレイパネルを備えたあらゆる電子機器に適用可能である。
【００２４】
保護フィルム付着用器具２０は、フレーム２１と、フレーム補強部２５と、第１垂直壁２８、第２垂直壁３４、第１スぺーサ２６、保護フィルムホルダー２３と、を備える。本発明は、第２スぺーサ３１をさらに含みうる。この場合、図面では、第１垂直壁２８、第２垂直壁３４、第１スぺーサ２６、第２スぺーサ３１、及び保護フィルムホルダー２３が、それぞれ一対に示されており、これにより、それぞれ一対の場合を例として説明しているが、本発明は、これに限定されず、それぞれ１つからなっても、複数個に分けられていてもよい。
【００２５】
フレーム２１は、スマートフォン１０の外郭形状に対応する形状を有する。この場合、前記フレーム２１は、閉曲線状であるか、少なくとも一部が開放された形状であって、すなわち、コーナー（ｃｏｒｎｅｒ）が丸い四角状に、スマートフォン１０のサイズよりもやや大きく、内側にディスプレイパネル１２を露出させる開放された窓２２が形成される。
【００２６】
フレーム補強部２５は、フレーム２１の外周部から折り曲げられて下に延びる部分であって、剛性を補強してフレーム２５の反りを抑制する。親指と、他の４本の指のうち少なくとも１本の指を用いてフレーム補強部２５を取ることで、一手を用いて容易に保護フィルム付着用器具２０を取って操作することができる。
【００２７】
一対の第１垂直壁２８は、フレーム２１の４方向直線区間のうち、相対的に長い、互いに対向する２方向の直線区間に設けられ、一対の第２垂直壁３４は、フレーム２１の４方向直線区間のうち、相対的に短い、互いに対向する２方向の直線区間に設けられる。第１及び第２垂直壁２８、３４は、フレーム２１がスマートフォン１０に安着できるように、フレーム２１からスマートフォン１０に向けて下に突設される。保護フィルム付着用器具２０をスマートフォン１０に被せれば、スマートフォン１０が、第１及び第２垂直壁２８、３４によって限定される内側空間に差し込まれて、保護フィルム付着用器具２０がスマートフォン１０に安着される。
【００２８】
一対の第１スぺーサ２６は、一対の第１垂直壁２８から水平方向の内側に突設される。一対の第２スぺーサ３１は、一対の第２垂直壁３４の内側面に形成される。フレーム２１及び保護フィルム付着用器具２０が、スマートフォン１０に安着された時、第１スぺーサ２６の底面と第２スぺーサ３１の底面が、スマートフォン１０の外郭エッジ１４に接触支持されるので、フレーム２１が、スマートフォン１０と当接せずに離隔する。
【００２９】
一対の保護フィルムホルダー２３は、一対の第１スぺーサ２６よりも高く位置し、フレーム２１から水平方向の内側に突設される。一対の第１スぺーサ２６と一対の保護フィルムホルダー２３との間に保護フィルム１の外周部が差し込まれて、保護フィルム１が保護フィルム付着用器具２０に搭載される。上面カバー２と底面カバー３まで付着された状態で提供される保護フィルム１が、前記第１スぺーサ２６と保護フィルムホルダー２３との間に容易に差し込まれ、また意図しないように、その所で保護フィルム１が抜けないように、第１スぺーサ２６と保護フィルムホルダー２３との間隔Ｇ１は、０．５ｍｍないし２ｍｍである。
【００３０】
一方、保護フィルム１の外周面が、一対の第１スぺーサ２６と一対の保護フィルムホルダー２３との間に差し込まれた後、その所で意図しないように抜けないように、すなわち、位置ズレを防止するために、挿入シート９が保護フィルム１に重なって、前記保護フィルム１と共に一対の保護フィルムホルダー２３と一対の第１スぺーサ２６との間に差し込まれる。
【００３１】
保護フィルムホルダー２３が四角状フレーム２１の中央部に向けて突出した長さは、第１スぺーサ２６が四角状フレーム２１の中央部に向けて突出した長さよりも大きい。第１スぺーサ２６と保護フィルムホルダー２３との間に差し込まれた保護フィルム１が、図１で保護フィルム付着用器具２０の上に抜けないようにし、図１で保護フィルム付着用器具２０の下から上に向けた方向に保護フィルム１を入れて保護フィルム１を保護フィルム付着用器具２０に搭載するためである。保護フィルムホルダー２３の突出長さは、８ｍｍないし２０ｍｎｍであり、第１スぺーサ２６の突出長さは、２ｍｍないし７ｍｍである。
【００３２】
保護フィルム１を保護フィルム付着用器具２０に搭載する時、または保護フィルム１が保護フィルム付着用器具２０から分離される時、容易に搭載または分離され、保護フィルム１にスクラッチのような損傷が生じないように、一対の第１スぺーサ２６の両端部２７は、斜めに傾斜している。また、保護フィルム１を保護フィルム付着用器具２０に搭載する時、または保護フィルム１に付着されている底面カバー３を保護フィルム１から取り外す時、妨害されないように、フレーム補強部２５の一側コーナーには、溝部３７が形成される。前記溝部３７については、保護フィルム付着方法でもう一度後述する。
【００３３】
保護フィルム付着用器具２０及びフレーム２１が、スマートフォン１０に安着された時、保護フィルム１の外周部は、一対の第１スぺーサ２６に支持されるので、保護フィルム１は、ディスプレイパネル１２から離隔する。ディスプレイパネル１２と保護フィルム１との間が適切な距離で離隔するように、一対の第１スぺーサ２６の厚さＴ１は、０．５ｍｍないし５ｍｍである。
【００３４】
保護フィルム１は、保護フィルム付着用器具２０の開放された窓２２を覆うように搭載される。保護フィルム１は、透明な合成樹脂フィルムからなり、ディスプレイパネル１２の破損またはスクラッチを抑制し、ディスプレイパネル１２の可視性を向上させるために付着される。保護フィルム１の底面は、ディスプレイパネル１２に付着されるように粘着性を有する。通常、保護フィルム１の底面の粘着性を保存する底面カバー３と、保護フィルム１の上面の汚染及び毀損を抑制する上面カバー２が、それぞれ保護フィルム１の下と上とに分離可能に積層付着されたフィルムセットが製品として提供される。保護フィルム付着用器具２０を用いてディスプレイパネル１２に保護フィルム１を付着する過程で、底面カバー３と上面カバー２とが保護フィルム１から分離されるが、容易に分離作業ができるように、底面カバー３の一側コーナーに底面カバー分離用ステッカー７が付着され、前記一側コーナーと重ならない上面カバー２の他側コーナーに上面カバー分離用ステッカー６が付着される。前述した保護フィルム付着用器具２０と、保護フィルム１、上面フィルム２、及び底面フィルム３からなるフィルムセットと、挿入シート９が、保護フィルム付着モジュールを構成する。
【００３５】
以下で、図１及び図２を参照して、説明した保護フィルム付着用器具２０を利用した保護フィルム１付着方法を詳細に説明する。図３及び図４は、図１の保護フィルム付着用器具を利用した保護フィルム付着方法を説明する図面であって、図１のＡ−Ａによる断面図、及び図１のＢ−Ｂによる断面図であり、図５は、スマートフォンに付着された保護フィルムから上面カバーを取り外す形状を示す斜視図である。ディスプレイパネル１２に保護フィルム１を付着する方法は、保護フィルム１搭載段階、底面カバー３除去段階、保護フィルム付着用器具２０安着段階、保護フィルム１次付着段階、保護フィルム付着用器具２０除去段階、挿入シート９分離段階、保護フィルム２次付着段階、及び上面カバー２除去段階を備える。
【００３６】
図１及び図２を先に参照すれば、保護フィルム１搭載段階では、前述したように、保護フィルム１とこれに付着された上面カバー２及び底面カバー３からなるフィルムセットを一対の保護フィルムホルダー２３と一対の第１スぺーサ２６との間に差し込んで抜けないように搭載する。この際、保護フィルム１、言い換えれば、前記フィルムセットが抜けないように、挿入シート９を前記フィルムセットに重ねて、一対の保護フィルムホルダー２３と一対の第１スぺーサ２６との間に差し込む。底面カバー３除去段階では、保護フィルム付着用器具２０に搭載された前記フィルムセットに付着された底面カバー分離用ステッカー７の一部を引っ張って、底面カバー３を保護フィルム１から分離し、保護フィルム１の粘着性底面を露出させる。底面カバー３が、保護フィルム１よりも相対的に薄く、さらにフレキシブル（ｆｌｅｘｉｂｌｅ）するために、保護フィルム１は、保護フィルム付着用器具２０に搭載されたまま底面カバー３のみ保護フィルム１から分離されて除去されうる。保護フィルム付着用器具２０に形成された溝部３７によって底面カバー分離用ステッカー７を妨害されずに容易に引っ張ることができる。
【００３７】
図３及び図４を参照すれば、保護フィルム付着用器具２０安着段階では、一対の第１垂直壁２８と一対の第２垂直壁３４の内側にスマートフォン１０が置かれ、一対の第１スぺーサ２６及び一対の第２スぺーサ３１が、スマートフォン１０の外郭エッジ１４に支持されるように保護フィルム付着用器具２０をスマートフォン１０に被せて安着させる。この際、保護フィルム１の中央部及び外周部は、いずれもスマートフォン１０の前面のディスプレイパネル１２から０．５ｍｍないし５ｍｍ程度離隔する。
【００３８】
保護フィルム１次付着段階では、保護フィルム１の中央部を矢印方向のようにスマートフォン１０側に加圧して、ディスプレイパネル１２の中央部に付着させる。保護フィルム付着用器具２０除去段階では、保護フィルム付着用器具２０を保護フィルム１と分離し、スマートフォン１０から離隔させる。保護フィルム１は、その底面の中央部がディスプレイパネル１２に付着されているために、フレーム補強部２５を手に取って持ち上げれば、保護フィルム付着用器具２０のみスマートフォン１０から除去され、保護フィルム１のディスプレイパネル１２に対する整列状態は乱れない。挿入シート９分離段階では、保護フィルム１上に重なった挿入シート９を保護フィルム１から分離する。挿入シート９が、保護フィルム１や上面カバー２に付着されていないので、容易に分離されうる。
【００３９】
保護フィルム２次付着段階では、保護フィルム１の中央部から周辺部に加圧範囲を確張して、保護フィルム１のあらゆる領域をディスプレイパネル１２に付着する。中央部から周辺部に押しながら保護フィルム１を加圧するために、ディスプレイパネル１２と保護フィルム１との間の空気が保護フィルム１の外周辺に容易に排出される。したがって、ディスプレイパネル１２と保護フィルム１との間に気泡形成が抑制される。
【００４０】
図５を参照すれば、上面カバー２除去段階では、保護フィルム１に積層されていた上面カバー２を保護フィルム１の上面から分離する。上面カバー２に付着された上面カバー分離用ステッカー６の一部を引っ張ることによって、保護フィルム１の損傷や保護フィルム１のディスプレイパネル１２から分離なしに容易に上面カバー２を保護フィルム１から分離することができる。保護フィルム付着用器具２０を利用した方法で付着された保護フィルム１は、ディスプレイパネル１２に対する位置ズレ、または気泡が発生せず、きれいに付着されうる。
【００４１】
図６及び図７は、本発明の第２実施形態による保護フィルム付着用器具の上面と背面とを示す斜視図であり、図８は、図１の保護フィルム付着用器具を利用した保護フィルム付着方法を説明する図面であって、図６のＣ−Ｃによる断面図である。図６ないし図８を参照すれば、本発明の第２実施形態による保護フィルム付着用器具５０も、図１に示された保護フィルム付着用器具２０と同様に合成樹脂の射出成形によって一体に形成された射出成形物であって、保護フィルム１を搭載し、ディスプレイパネル１２を備えたスマートフォン１０に安着支持される。保護フィルム付着用器具５０は、フレーム５１と、フレーム補強部５５と、垂直壁５８、一対のスぺーサ５６、一対の保護フィルムホルダー５３、第１及び第２位置ガイド壁６１、６３、下側突起６６、及び上側突起６８を備える。
【００４２】
フレーム５１は、スマートフォン１０の外郭形状に合わせて安着される。フレーム５１は、コーナーが丸い閉曲線状であるか、少なくとも一部が開放された形状であって、スマートフォン１０のサイズよりもやや大きく、内側にディスプレイパネル１２を露出させる開放された窓５２が形成される。フレーム補強部５５は、フレーム５１の外周部から折り曲げられて下に延びる部分であって、剛性を補強してフレーム５１の反りを抑制する。親指と、他の４本の指のうち少なくとも１本の指を用いてフレーム補強部５５を取ることで、一手を用いて容易に保護フィルム付着用器具５０を取って操作することができる。
【００４３】
垂直壁５８は、フレーム５１の外郭から下側に垂直突出する。垂直壁５８は、電子機器１０の上面の外郭のエッジ１４周辺に安着されるように配される。一対のスぺーサ５６は、フレーム５１から水平方向の内側に突出する。具体的に、フレーム５１から垂直突出した前記垂直壁５８から水平方向に突出する。保護フィルム付着用器具５０が、スマートフォン１０に安着された時、一対のスぺーサ５６の底面が、スマートフォン１０の上面の外郭のエッジ１４付近に接触支持されるので、フレーム５１が、スマートフォン１０と当接せずに離隔する。
【００４４】
一対の保護フィルムホルダー５３は、一対のスぺーサ５６よりも高く位置し、フレーム５１のような高さでフレーム５１から水平方向の内側に突設される。一対のスぺーサ５６と一対の保護フィルムホルダー５３との間に保護フィルム１の外周部が差し込まれて、保護フィルム１が保護フィルム付着用器具５０に搭載される。上面カバー２と底面カバー３まで付着された状態で提供される保護フィルム１が、前記スぺーサ５６と保護フィルムホルダー５３との間に容易に差し込まれ、また意図しないように、その所で保護フィルム１が抜けないように、スぺーサ５６と保護フィルムホルダー５３との間隔Ｇ２は、０．５ｍｍないし２ｍｍである。
【００４５】
一方、保護フィルム１の外周面が、一対のスぺーサ５６と一対の保護フィルムホルダー５３との間に差し込まれた後、その所で意図しないように抜けないように、すなわち、位置ズレを防止するために、挿入シート９が保護フィルム１に重なって、前記保護フィルム１と共に一対の保護フィルムホルダー５３と一対のスぺーサ５６との間に差し込まれる。
【００４６】
保護フィルムホルダー５３が四角状フレーム５１の中央部に向けて突出した長さは、スぺーサ５６が四角状フレーム５１の中央部に向けて突出した長さよりも大きい。スぺーサ５６と保護フィルムホルダー５３との間に差し込まれた保護フィルム１が、保護フィルム付着用器具５０の上に抜けないようにし、保護フィルム付着用器具５０の下から上に向けた方向に保護フィルム１を入れて保護フィルム１を保護フィルム付着用器具５０に搭載するためである。
【００４７】
第１及び第２位置ガイド壁６１、６３は、スマートフォン１０の外郭が保護フィルム付着用器具５０の中央部に整列されて差し込まれるように、フレーム５１に沿って適切な間隔で互いに離隔して配される。第１及び第２位置ガイド壁６１、６３によってフレーム５１がスマートフォン１０の外郭形状に合わせて安着される。第１位置ガイド壁６１は、フレーム補強部５５の内側面から垂直壁５８の外郭まで突出した突起状であり、保護フィルム付着用器具５０が、スマートフォン１０に安着されれば、第１位置ガイド壁６１の末端が、スマートフォン１０の側面１５を接触して整列された安着位置を案内する。第２位置ガイド壁６３は、フレーム５１から下に突出し、スマートフォン１０の外郭１４エッジライン（ｌｉｎｅ）と平行に延びた突起状であり、保護フィルム付着用器具５０が、スマートフォン１０に安着されれば、第２位置ガイド壁６３の側面が、スマートフォン１０の側面１５を接触して整列された安着位置を案内する。
【００４８】
図７には、第１位置ガイド壁６１が６つ、第２位置ガイド壁６３が１つ開示されているが、その個数は、適切に変更されうる。垂直壁５８と一対のスぺーサ５６は、フレーム５１の下に同等な高さに突出するが、第１及び第２位置ガイド壁６１、６３は、垂直壁５８から垂直壁５８よりも下にさらに多く突出する。
【００４９】
一対のスぺーサ５６の一対の保護フィルムホルダー５３の間に差し込まれる保護フィルム１が、保護フィルム付着用器具５０から任意に抜けず、また整列された位置から外れないように補強するために、複数の下側突起６６及び上側突起６８が備えられる。上側突起６８は、保護フィルムホルダー５３が突出していない領域でフレーム５１から内側に突設される。下側突起６６は、保護フィルムホルダー５３が突出していない領域で上側突起６８に隣接して形成され、垂直壁５８から内側に突設される。上側突起６８が、下側突起６６よりも高く位置し、フレーム５１の内周境界から０．１ｍｍないし２ｍｍのサイズに突出する。
【００５０】
保護フィルム付着用器具５０が、スマートフォン１０に安着された時、保護フィルム１の外周部は、一対のスぺーサ５６に支持されるので、保護フィルム１は、ディスプレイパネル１２から離隔する。ディスプレイパネル１２と保護フィルム１との間が適切な距離で離隔するように、一対のスぺーサ５６の厚さＴ２は、０．５ｍｍないし５ｍｍである。
【００５１】
保護フィルム１は、図１ないし図５を参照して、第１実施形態で詳しく説明したので、重複された説明は省略する。前述した保護フィルム付着用器具５０と、保護フィルム１、上面フィルム２、及び底面フィルム３からなるフィルムセットと、挿入シート９が、保護フィルム付着モジュールを構成する。
【００５２】
以下で、図５ないし図７を参照して、本発明の第２実施形態による保護フィルム付着用器具５０を利用した保護フィルム１付着方法を詳細に説明する。ディスプレイパネル１２に保護フィルム１を付着する方法は、第１実施形態の場合と同様に、保護フィルム１搭載段階、底面カバー３除去段階、保護フィルム付着用器具５０安着段階、保護フィルム１次付着段階、保護フィルム付着用器具５０除去段階、挿入シート９分離段階、保護フィルム２次付着段階、及び上面カバー２除去段階を備える。
【００５３】
保護フィルム１搭載段階では、保護フィルム１とこれに付着された上面カバー２及び底面カバー３からなるフィルムセットを一対の保護フィルムホルダー５３と一対のスぺーサ５６との間に差し込んで抜けないように搭載する。この際、保護フィルム１、言い換えれば、前記フィルムセットが抜けないように挿入シート９を前記フィルムセットに重ねて、一対の保護フィルムホルダー５３と一対のスぺーサ５６との間に差し込む。底面カバー３除去段階では、保護フィルム付着用器具５０に搭載された前記フィルムセットに付着された底面カバー分離用ステッカー７（図１参照）の一部を引っ張って、底面カバー３を保護フィルム１から分離し、保護フィルム１の粘着性底面を露出させる。
【００５４】
保護フィルム付着用器具５０安着段階では、複数の第１及び第２位置ガイド壁６１、６３の内側にスマートフォン１０が置かれ、一対のスぺーサ５６及び垂直壁５８が、スマートフォン１０の外郭エッジ１４付近に支持されるように、保護フィルム付着用器具５０をスマートフォン１０に被せて安着させる。この際、保護フィルム１の中央部及び外周部は、いずれもスマートフォン１０の上面のディスプレイパネル１２から０．５ｍｍないし５ｍｍ程度離隔する。
【００５５】
保護フィルム１次付着段階では、保護フィルム１の中央部を矢印方向のようにスマートフォン１０側に加圧して、ディスプレイパネル１２の中央部に付着させる。保護フィルム付着用器具５０除去段階では、保護フィルム付着用器具５０を保護フィルム１と分離し、スマートフォン１０から離隔させる。保護フィルム１は、その底面の中央部がディスプレイパネル１２に付着されているために、フレーム補強部５５を手に取って持ち上げれば、保護フィルム付着用器具５０のみスマートフォン１０から除去され、保護フィルム１のディスプレイパネル１２に対する整列状態は乱れない。挿入シート９分離段階では、保護フィルム１上に重なった挿入シート９を保護フィルム１から分離する。挿入シート９が、保護フィルム１や上面カバー２に付着されていないので、容易に分離されうる。
【００５６】
保護フィルム２次付着段階では、保護フィルム１の中央部から周辺部に加圧範囲を確張して、保護フィルム１のあらゆる領域をディスプレイパネル１２に付着する。中央部から周辺部に押しながら保護フィルム１を加圧するために、ディスプレイパネル１２と保護フィルム１との間の空気が保護フィルム１の外周辺に容易に排出される。したがって、ディスプレイパネル１２と保護フィルム１との間に気泡形成が抑制される。
【００５７】
上面カバー２除去段階では、保護フィルム１に積層されていた上面カバー２を保護フィルム１の上面から分離する（図５参照）。上面カバー２に付着された上面カバー分離用ステッカー６（図５参照）の一部を引っ張ることによって、保護フィルム１の損傷や保護フィルム１のディスプレイパネル１２から分離なしに容易に上面カバー２を保護フィルム１から分離することができる。保護フィルム付着用器具５０を利用した方法で付着された保護フィルム１は、ディスプレイパネル１２に対する位置ズレ、または気泡が発生せず、きれいに付着されうる。
【００５８】
図９及び図１０に示したように、本発明のさらに他の実施形態による保護フィルム付着モジュール２００は、スマートフォン１０の平面状及びサイズよりもやや大きい４角形フレーム２１２を備えたフレーム２１１と、前記フレーム２１１に分離可能に付着された保護フィルム２２０と、を備える。示した保護フィルム付着モジュール２００は、スマートフォン１０のディスプレイパネル１２がある前面に付着されるものであるが、本発明が、スマートフォン１０の用途に限定されるものではなく、ディスプレイパネルを備えたあらゆる電子機器に適用可能である。
【００５９】
前記フレーム２１１は、フレーム２１２の中央にディスプレイパネル１２を露出させる開放窓２１３を備え、フレーム２１２の４方向直線区間には、スマートフォン１０の外周エッジ１４に支持されるように折り曲げられた複数の支持片２１５を備える。前記フレーム２１１は、例えば、プラスチック（ｐｌａｓｔｉｃ）、紙、金属などで多様に選択し、そのうち１つの例として、プラスチックを射出成形して形成しうる。
【００６０】
前記フレーム２１２の４方向直線区間のうち、互いに対向する２方向直線区間には、相手側直線区間に向けて水平方向に突出したスぺーサ（ｓｐａｃｅｒ）２１７が備えられる。前記スぺーサ２１７の底面は、前記フレーム２１１をスマートフォン１０上に搭載した時、スマートフォン１０の上側面、すなわち、ディスプレイパネル１２がある側面上に支持される。前記スぺーサ２１７には、保護フィルム２２０の外周辺が支持される。したがって、保護フィルム付着モジュール２００が、スマートフォン１０上に搭載された時、すなわち、フレーム２１１の支持片２１５が、スマートフォン１０の外周エッジ１４に支持された時、保護フィルム２２０をディスプレイパネル１２から離隔させる。一方、図１及び図２で示したところと異なって、フレーム２１２の４方向直線区間にいずれもスぺーサが備えられることもある。
【００６１】
保護フィルム２２０は、フレーム２１１の開放窓２１３を覆うように付着される。保護フィルム２２０は、透明な合成樹脂フィルムからなり、ディスプレイパネル１２の破損またはスクラッチを抑制し、ディスプレイパネル１２の可視性を向上させるために付着される。保護フィルム２２０の底面は、ディスプレイパネル１２に付着されるように粘着性を有する。保護フィルム２２０は、スぺーサ２１７に外周辺が支持され、保護フィルム２２０の底面の粘着性のために、大きな衝撃がない限り、フレーム２１１に対して位置固定されうる。また、保護フィルム２２０が、フレーム２１１にさらに堅固に固定されるように、粘着テープ２２５を用いて保護フィルム２２０をフレーム２１１に付着することもできる。
【００６２】
この場合、支持片２１５は、前記フレーム２１１が前記スマートフォン１０に安着時に、前記ディスプレイパネルから上側に１ないし４ｍｍ離隔することが望ましい。すなわち、前記保護フィルム２２０が、前記スぺーサ２１７に安着されれば、前記保護フィルム２２０が、前記ディスプレイパネル１２から平行に１ないし４ｍｍの間隔を有するように配される。前記保護フィルム２２０が、前記ディスプレイパネル１２から１ｍｍ未満の間隔を有する場合には、前記フレーム２１１が、前記スマートフォン１０に固定完了する前、すなわち、正確な位置に配置される前、前記保護フィルム２２０が、ディスプレイパネル１２に付着される可能性があり、前記保護フィルム付着補助部材１００を分離することが容易ではないという問題点がある。
【００６３】
また、前記保護フィルム２２０が、前記ディスプレイパネル１２から４ｍｍを超過する間隔を有する場合には、前記保護フィルム２２０の中央部を前記ディスプレイパネル１２の中央部に付着する場合、前記保護フィルム２２０の端部が、前記スぺーサ２１７から離れて、その付着位置が正確な位置にならない可能性があり、保護フィルム２２０とディスプレイパネルとの間に気孔や異物が流入される可能性があるためである。
【００６４】
一方、前記スぺーサ２１７のディスプレイパネル方向への突出長さは、０．５ｍｍないし４ｍｍであることが望ましい。これは、前記スぺーサ２１７の突出長さが０．５ｍｍ未満である場合、前記保護フィルム２２０と安着される面があまりにも小さくて、前記保護フィルム２２０がよく安着されないか、よく離れる現象が発生するためである。また、前記スぺーサ２１７の突出長さが４ｍｍを超過する場合、前記保護フィルム２２０と安着される面があまりにも広くて、これらの間に異物が発生するか、前記フレーム２１１の前記スマートフォン１０からの分離時によく分離されず、保護フィルム２２０に損傷が発生するか、保護フィルム２２０が平坦にならないためである。
【００６５】
一方、ディスプレイパネル１２に当接する保護フィルム２２０の底面の粘着性を保存する底面カバー２２２と、保護フィルム２２０の上面の汚染及び毀損を抑制する上面カバー２２３が、それぞれ保護フィルム２２０の下と上とに分離可能に積層付着されもする。積層された底面カバー２２２、保護フィルム２２０、及び上面カバー２２３からなるフィルムセットが、フレーム２１１に付着されて保護フィルム付着モジュール２００を構成することができる。
【００６６】
また、底面カバー２２２の底面一側には、前記底面カバー２２２を脱着させるための底面カバー脱着用ステッカー２２８が付着され、上面カバー２２３の一側には、前記上面カバー２２３を脱着させるための上面カバー脱着用ステッカー２２７が付着されている。
【００６７】
以下で、図１０ないし図１２を参照して、説明した保護フィルム付着モジュール２００を用いてスマートフォン１０のディスプレイパネル１２に保護フィルム２２０を付着する方法を詳細に説明する。図１０を参照すれば、まず、保護フィルム付着モジュール２００を準備し、底面カバー２２２、保護フィルム２２０、及び上面カバー２２３からなるフィルムセットから底面カバー２２２を分離して保護フィルム２２０の粘着面を露出させる。この場合、底面カバー２２２は、底面カバー脱着用ステッカー２２８を手に取って開放窓の下側に引っ張るようになれば、底面カバー２２２が、保護フィルム２２０から分離される。
【００６８】
次いで、図１１に示したように、ディスプレイパネル１２が、保護フィルム２２０を通じて見えるように保護フィルム付着モジュール２００をスマートフォン１０に被せる。具体的に、フレーム２１１の支持片２１５をスマートフォン１０の外周エッジ１４に対して整列して下ろせば、前記支持片２１５がエッジ１４に搭載され、前記エッジ１４が支持片２１５を支持する。この際、保護フィルム２２０の粘着面は、ディスプレイパネル１２を対向しているが、保護フィルム２２０は、粘着テープ２２５（図９参照）に付着され、スぺーサ２１７に支持されているために、ディスプレイパネル１２に貼り付かない。
【００６９】
次いで、図１１の矢印のように、保護フィルム２２０の中央部をディスプレイパネル１２側に加圧して、ディスプレイパネル１２に付着させる。そして、粘着テープ２２５を保護フィルム２２０及びフレーム２１１から取り外し、フレーム２１１をスマートフォン１０のエッジ１４から離隔させて、保護フィルム２２０とフレーム２１１とを分離する。保護フィルム２２０は、粘着面の中央部がディスプレイパネル１２に粘着されているので、フレーム２１１と分離されても、ディスプレイパネル１２に対する位置整列が乱れない。
【００７０】
次いで、保護フィルム２２０を中央部から周辺部に加圧範囲を確張して、保護フィルム２２０の全領域をディスプレイパネル１２に付着する。中央部から周辺部に押しながら保護フィルム２２０を加圧するために、ディスプレイパネル１２と保護フィルム２２０との間の空気が保護フィルム２２０の外周辺に容易に排出される。したがって、ディスプレイパネル１２と保護フィルム２２０との間に気泡形成が抑制される。
【００７１】
次いで、図１２に示したように、保護フィルム２２０に積層されていた上面カバー２２３を保護フィルム２２０の上面から分離する。この場合、上面カバー２２３は、上面カバー脱着用ステッカー２２７を手に取って分離させることができる。
【００７２】
保護フィルム付着モジュール２００を利用した方法で付着された保護フィルム２２０は、ディスプレイパネル１２に対する位置ズレ、または気泡が発生せず、きれいに付着されうる。
【００７３】
本発明は、図面に示された実施形態を参考にして説明されたが、これは例示的なものに過ぎず、当業者ならば、これより多様な変形及び均等な他実施形態が可能であるということを理解できるであろう。したがって、本発明の真の保護範囲は、特許請求の範囲によってのみ決定されるべきである。
【産業上の利用可能性】
【００７４】
本発明は、スマートフォンまたはタブレットＰＣ、タッチスクリーンを利用したＵＩ産業などに利用可能である。
【符号の説明】
【００７５】
１  保護フィルム
２  上面カバー
３  底面カバー
９  挿入シート
１０  スマートフォン
１２  ディスプレイパネル
１４  外郭エッジ
２０  付着用器具
２１  フレーム
２２  窓
２３  保護フィルムホルダー
２５  フレーム補強部
２６  第１スぺーサ
２８  第１垂直壁
３１  第２スぺーサ
３４  第２垂直壁
３７  溝部
５０  保護フィルム付着用器具
５３  保護フィルムホルダー
５５  フレーム補強部
５６  スぺーサ
５８  垂直壁
６１  第１位置ガイド壁
６３  第２位置ガイド壁
【図１】
2014525167.tif 000003
【図２】
2014525167.tif 000004
【図３】
2014525167.tif 000005
【図４】
2014525167.tif 000006
【図５】
2014525167.tif 000007
【図６】
2014525167.tif 000008
【図７】
2014525167.tif 000009
【図８】
2014525167.tif 000010
【図９】
2014525167.tif 000011
【図１０】
2014525167.tif 000012
【図１１】
2014525167.tif 000013
【図１２】
2014525167.tif 000014
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
ディスプレイパネルを備えた電子機器の外郭形状に合わせて安着され、内側に開放された窓が形成されたフレームと、
前記フレームから水平方向に突設された少なくとも１つのスぺーサと、
前記スぺーサとの間に保護フィルムの外周部が差し込まれて、前記保護フィルムを支持するものであって、前記スぺーサよりも高い位置に前記フレームから水平方向の内側に突出した少なくとも１つの保護フィルムホルダーと、を備え、
前記フレームが、前記電子機器に安着された時、前記保護フィルムの外周部が、前記電子機器のディスプレイパネルから前記スぺーサの厚さほど離隔して構成されたことを特徴とする保護フィルム付着用器具。
【請求項２】
前記スぺーサは、前記フレームの外郭から下側に垂直突出した垂直壁から水平方向に突出し、
前記垂直壁は、前記電子機器の上面の外郭に安着されるように配されたことを特徴とする請求項１に記載の保護フィルム付着用器具。
【請求項３】
前記スぺーサの厚さは、０．５ないし５ｍｍであることを特徴とする請求項１に記載の保護フィルム付着用器具。
【請求項４】
前記フレームが、前記電子機器の外郭形状に合わせて安着されるように、前記電子機器の外郭が差し込まれるように配された少なくとも１つの位置ガイド壁をさらに含むことを特徴とする請求項１に記載の保護フィルム付着用器具。
【請求項５】
前記スぺーサは、前記フレームの外郭から下側に垂直突出した垂直壁から水平方向に突出し、前記垂直壁は、前記電子機器の上面の外郭に安着されるように配され、
前記位置ガイド壁は、前記垂直壁の外郭から前記垂直壁よりも下側にさらに多く突出したことを特徴とする請求項４に記載の保護フィルム付着用器具。
【請求項６】
前記保護フィルムと共に前記保護フィルムホルダーとスぺーサとの間に差し込まれて、前記保護フィルムの位置ズレを防止する挿入シートをさらに備えたことを特徴とする請求項１に記載の保護フィルム付着用器具。
【請求項７】
請求項１ないし請求項５のうち何れか１つの構造を有する保護フィルム付着用器具と、
前記スぺーサと保護フィルムホルダーとの間に外周部が差し込まれる保護フィルムと、を備え、
前記フレームが、前記電子機器に安着された時、前記保護フィルムの外周部が、前記電子機器のディスプレイパネルから前記スぺーサの厚さほど離隔して構成されたことを特徴とする保護フィルム付着モジュール。
【請求項８】
前記保護フィルムの底面の粘着性を保存する底面カバー、及び前記保護フィルムの上面の汚染及び毀損を抑制する上面カバーをさらに備え、
前記底面カバー及び上面カバーが、前記保護フィルムに分離可能に積層付着されて、前記保護フィルムと共に前記スぺーサと保護フィルムホルダーとの間に差し込まれることを特徴とする請求項７に記載の保護フィルム付着モジュール。
【請求項９】
前記保護フィルムと共に前記保護フィルムホルダーとスぺーサとの間に差し込まれて、前記保護フィルムの位置ズレを防止する挿入シートをさらに備えたことを特徴とする請求項７に記載の保護フィルム付着モジュール。
【請求項１０】
ディスプレイパネルを備えた電子機器の外周エッジに支持されるように折り曲げられた支持片と、前記ディスプレイパネルを露出させる開放窓を備えたフレームと、
前記開放窓を覆うように、前記フレームに分離可能に付着された保護フィルムと、を備え、
前記支持片が、電子機器の外周エッジに支持された時、前記保護フィルムの外周辺が、前記電子機器のディスプレイパネルに貼り付かずに離隔して構成されたことを特徴とする保護フィルム付着モジュール。
【請求項１１】
前記フレームは、前記支持片が前記電子機器の外周エッジに支持された時、前記保護フィルムの外周辺を支持して、前記電子機器のディスプレイパネルから離隔させるスぺーサをさらに備えることを特徴とする請求項１0に記載の保護フィルム付着モジュール。
【請求項１２】
前記保護フィルムは、粘着テープによって前記フレームに付着されたことを特徴とする請求項１0に記載の保護フィルム付着モジュール。
【請求項１３】
前記ディスプレイパネルに当接する前記保護フィルムの底面の粘着性を保存する底面カバー、及び前記保護フィルムの上面の汚染及び毀損を抑制する上面カバーが、前記保護フィルムに分離可能に積層付着されたことを特徴とする請求項１0に記載の保護フィルム付着モジュール。
【請求項１４】
携帯機器のディスプレイ部に保護フィルムを付着させるためのものであって、
前記携帯機器のディスプレイの外郭に沿って安着され、前記ディスプレイ部が外部に露出されるように中空部を有するフレームと、
前記フレームの中空部の内側面から突設されたものであって、前記フレームが、前記携帯機器に安着時に前記ディスプレイ部から上側に１ないし４ｍｍ離隔する保護フィルム安着具と、を含む保護フィルム付着用器具。
【国際調査報告】
2014525167.tif 000015
2014525167.tif 000016
2014525167.tif 000017
2014525167.tif 000018